(57)【要約】      （修正有）【課題】車体を丸ごと除菌することができると共に、オートバイについても除菌することが可能な車両除菌システムを提供する。【解決手段】車両１が入出庫される格納空間６を有する作業ガレージ２と、車両の入出庫口を閉塞して格納空間を外部雰囲気から密閉するガレージ扉３と、作業ガレージ内に設置されて除菌用薬剤を格納空間内に連続的に噴霧する噴霧器４と、作業ガレージ内に設置されて格納空間内の雰囲気を攪拌する送風機５と、を備えている。【選択図】図１
0003196192.tif 000002
【実用新案登録請求の範囲】
【請求項１】
車両が入出庫される格納空間を有する作業ガレージと、前記格納空間に対する車両の入出庫口を閉塞して当該格納空間を外部雰囲気から密閉するガレージ扉と、前記作業ガレージ内に設置されて除菌用薬剤を前記格納空間内に連続的に噴霧する噴霧器と、前記作業ガレージ内に設置されて前記格納空間内の雰囲気を攪拌する送風機と、を備えたことを特徴とする車両除菌システム。
【請求項２】
前記格納空間は前記ガレージ扉を閉塞した状態では暗室であることを特徴とする請求項１記載の車両除菌システム。
【請求項３】
前記噴霧器には噴霧時間を設定するタイマーが内蔵されていることを特徴とする請求項１又は２記載の車両除菌システム。
【考案の詳細な説明】
【技術分野】
【０００１】
本考案は、自動車やオートバイ等の車両に付着したかび類、ウィルスや細菌を除菌する車両除菌システムに関する。
【背景技術】
【０００２】
特許文献１には自動車の除菌脱臭装置が開示されている。この装置は、オゾンを含む空気を自動車の車室内に送風して当該車室内の除菌を行うものであり、オゾン発生機と、このオゾン発生装置で発生したオゾンを含む空気を車室内に導くためのホースを備えている。
【先行技術文献】
【特許文献】
【０００３】
【特許文献１】実用新案登録第３１１２８４６号
【考案の概要】
【考案が解決しようとする課題】
【０００４】
しかし、特許文献１に開示されているような除菌脱臭装置は、オゾンを含む空気をホースによって車室内に導いていることから、除菌の作業時にはホース導入のために窓を半開きにする必要があり、オゾン雰囲気の密閉空間を作り出すことが困難であった。また、オゾンを含む空気の単位時間あたりの送風量が十分であれば、車室内は除菌できるものの、ドア開閉のハンドルなど、車体の外の部位については除菌することができなかった。更に、車室のないオートバイについては除菌作業を行うことができなかった。
【課題を解決するための手段】
【０００５】
本考案はこのような問題点に鑑みなされたものであり、その目的とするところは、車体を丸ごと除菌することができると共に、オートバイについても除菌することが可能な車両除菌システムを提供することにある。
【０００６】
前記目的を達成するために、本考案の車両除菌システムは、車両が入出庫される格納空間を有する作業ガレージと、前記格納空間に対する車両の入出庫口を閉塞して当該格納空間を外部雰囲気から密閉するガレージ扉と、前記作業ガレージ内に設置されて除菌用薬剤を前記格納空間内に連続的に噴霧する噴霧器と、前記作業ガレージ内に設置されて前記格納空間内の雰囲気を攪拌する送風機と、を備えている。
【０００７】
このような本考案によれば、除菌作業を必要とする車両を前記作業ガレージの格納空間に入庫させた後、前記ガレージ扉を閉塞して前記格納空間を密閉すると共に、前記噴霧器と送風機を動作させることによって、前記格納空間内に除菌用薬剤の霧を拡散させ、充満させることができる。従って、前記格納空間に入庫した車両の車室や荷室のドアを開放しておけば、除菌薬剤の霧が車室内や荷室内、更にはドア開閉のハンドル等に満遍なく付着し、車両全体を除菌することができる。
【０００８】
また、前記格納空間にオートバイを入庫することにより、当該オートバイの座席やハンドルも除菌することができる他、オートバイの荷台に据えつけられた荷物収納ボックスの内部も除菌することが可能となる。加えて、一度に数台のオートバイに対して除菌作業を施すことができ、作業効率も高めることができる。
【０００９】
前記噴霧器としては超音波式の噴霧器を使用することができる。超音波式の噴霧器によって噴霧された薬剤は粒径の細かな霧となって雰囲気中を漂うので、前記送風機によって格納空間内の雰囲気を攪拌すれば、当該格納空間の隅々にまで除菌用薬剤の霧を行き渡らせることができる。従って、前記格納空間内に除菌用薬剤を十分に噴霧することができれば、車室内の搭乗者シート等に対して除菌用薬剤を直接噴霧せずとも、当該車室内の除菌効果を高めることができる。また、密閉した車室内に対して除菌用薬剤を直接噴霧する場合と比較して、搭乗者シートが除菌用薬剤によって濡れてしまうのを極力回避することができ、除菌作業後の乾燥作業の手間を回避することが可能となる。
【図面の簡単な説明】
【００１０】
【図１】本考案を適用した車両除菌システムの構成を示す概略図である。
【図２】作業ガレージに対する車両の入庫の様子を示す斜視図である。
【考案を実施するための形態】
【００１１】
以下、添付図面を用いて本考案を適用した車両除菌システムの実施形態を詳細に説明する。
【００１２】
図１は本考案を適用した車両除菌システムの実施形態の一例を示す概略図である。このシステムは、自動車やオートバイ等の車両１が入出庫される作業ガレージ２と、この作業ガレージ２の入口を閉塞するガレージ扉３と、前記作業ガレージ２内に設置された除菌用薬剤の噴霧器４と、作業ガレージ２内に設けられた送風機５と、から構成されている。
【００１３】
前記噴霧器４としては超音波式の加湿器を利用することができ、噴霧器４のタンク内には例えば弱酸性の次亜塩素酸の水溶液を満たす。前記噴霧器４を動作させると、タンク内に溜められた次亜塩素酸の水溶液が超音波振動によって微細な液滴に砕かれて霧状となり、前記作業ガレージ２内の格納空間６に噴霧される。弱酸性の次亜塩素酸の水溶液はインフルエンザ、ノロウィルス、大腸菌O-157、大腸菌群、黄色ブドウ球菌、腸炎ビブリオ、レジオネラ、各種カビ等に対して、高い除菌能力を示す。この弱酸性の次亜塩素酸の水溶液としては例えば商品名モーリス（森友通商株式会社製）を使用することができる。
【００１４】
前記送風機５は前記作業ガレージ２の格納空間６内の雰囲気を攪拌し、前記噴霧器４からに噴出された除菌用薬剤の霧を前記格納空間６の隅々にまで行き渡らせる。このため、前記噴霧器４及び送風機５は前記作業ガレージの大きさに応じて複数台を設置しても良い。また、前記送風機は前記噴霧器の動作に連動して送風がＯＮ／ＯＦＦされるように構成しても良い。
【００１５】
前記作業ガレージ２は、ガレージ扉３を閉塞することによって、車両１を入庫した格納空間６が作業ガレージ外の雰囲気から密閉される。除菌用薬剤として次亜塩素酸の水溶液を用いる場合、水溶液中の次亜塩素酸の濃度は紫外線の照射によって低下することが知られている。従って、次亜塩素酸の水溶液を噴霧したことによる除菌効果を高めるため、前記作業ガレージ２はガレージ扉３を閉塞することによって暗室になることが好ましい。
【００１６】
この除菌システムの具体的な使用方法としては、まず除菌作業を行いたい車両１を前記作業ガレージ２の格納空間６内に入庫し、入庫した車両１の総てのドアや窓を開け放つ。この後、前記噴霧器４及び送風機５を動作させ、前記格納空間６内に除菌用薬剤の霧を充満させる。作業者は噴霧器４及び送風機５を動作させた後に、前記格納空間６から退去し、前記ガレージ扉３を閉塞する。これにより、外部空間に対して密閉された格納空間６内には、前記除菌用薬剤の霧が隅々まで行き渡り、車両１の車室内にまで除菌用薬剤の霧が行き渡ることになる。
【００１７】
前記噴霧器４及び送風機５の操作スイッチは前記作業ガレージ２の外に設けても良い。そのように構成すれば、作業者はガレージ扉３を閉塞した後に外から前記噴霧器４及び送風機５を動作させることができる。
【００１８】
前記噴霧器４による除菌用薬剤の噴霧時間は前記作業ガレージ２の格納空間の大きさに応じて任意に設定することができる。前記作業ガレージ２は車両１を一台のみ入庫できる大きさでも良いが、図２に示すように、一度に数台の車両を入庫できる大きさであってもよく、格納空間が大きくなった場合は、より長時間にわたって除菌用薬剤を格納空間に噴霧し続ける必要がある。従って、前記噴霧器は除菌用薬剤の噴霧時間を設定するタイマーを内蔵しているのが好ましい。
【００１９】
このような本考案の除菌システムによれば、車両１を入庫した前記作業ガレージ２の格納空間６内に除菌用薬剤の霧を充満させ、それを当該車両１に付着させるようにしているので、入庫した車両１の車室や荷室のドアを開いておけば、かかる車室や荷室内、更にはドアハンドルをも除菌することができる。従って、このシステムを用いて定期的に幼稚園や老人介護施設の送迎バスの除菌作業を実施することにより、例えばノロウィルスやインフルエンザウィルス等の集団感染のリスクを低減することが可能となる。
【００２０】
また、本考案の除菌システムでは作業ガレージ２内に車両１としてのオートバイを入庫することにより、当該オートバイの座席やハンドルも除菌することができる。また、ファストフード店の配達サービス等で使用されるオートバイの荷室の内部も除菌することが可能となり、定期的に配達用オートバイの除菌作業を実施することにより、当該配達サービスを利用されるお客様に安心・安全をアピールすることも可能となる。
【符号の説明】
【００２１】
１…車両、２…作業ガレージ、３…ガレージ扉、４…噴霧器、５…送風機、６…格納空間
【図１】
0003196192.tif 000003
【図２】
0003196192.tif 000004